【手続補正書】
【提出日】平成15年7月17日(2003.7.17)
【手続補正１】
【補正対象書類名】特許請求の範囲
【補正対象項目名】全文
【補正方法】変更
【補正の内容】
【特許請求の範囲】
【請求項１】
データベースディレクトリ内のユーザ情報を管理する方法であって、
前記情報に割り当てられた属性値に基づいて前記ユーザ情報を構成する工程と、
少なくとも１つの任意のユーザグループに、構成されたユーザ情報を特定する工程と、
前記少なくとも１つの任意のユーザグループに関係する前記ユーザ情報を管理する工程を備える方法。
【請求項２】
少なくとも１つの任意のユーザグループに特定する前記工程は、前記少なくとも１つの任意のユーザグループを形成するための評価基準として前記属性値を利用することを備える、請求項１の方法。
【請求項３】
少なくとも１つの任意のユーザグループに特定する前記工程は、前記少なくとも１つの任意のユーザグループを形成するための評価基準として可能な属性値の組み合わせを利用することを備える、。請求項１の方法。
【請求項４】
前記少なくとも１つの任意のユーザグループに特定する前記工程は、問合せルールを構築して、データベースディレクトリについて問合せることを備え、前記問合せルールは、前記少なくとも１つの任意のユーザグループ内のユーザを規定するものである、請求項１の方法。
【請求項５】
前記ユーザ情報を管理する工程は、前記情報が、前記少なくとも１つの任意のユーザグループ内のメンバーであるかどうかをリアルタイムで動的に確認することを備える、請求項１の方法。
【請求項６】
ユーザコミュニティに関連するユーザ情報を管理する方法であって、
少なくとも１つの任意のユーザグループに前記ユーザコミュニティを特定する工程と、
少なくとも１つの任意のユーザグループから管理領域を形成する工程と、
前記管理領域を管理するために管理特権を与える工程を備える方法。
【請求項７】
少なくとも１つの任意のユーザグループに前記ユーザコミュニティを特定する前記工程は、前記ユーザコミュニティ内の各ユーザに関連する属性値を、前記少なくとも１つの任意のユーザグループを形成するための評価基準として利用する、請求項６の方法。
【請求項８】
少なくとも１つの任意のユーザグループに前記ユーザコミュニティを特定する前記工程は、前記ユーザコミュニティ内の各ユーザに関連する属性値の組合せを、前記少なくとも１つの任意のユーザグループを形成するための評価基準として利用する、請求項６の方法。
【請求項９】
少なくとも１つの任意のユーザグループに前記ユーザコミュニティを特定する前記工程は、問合せルールを構築して、前記少なくとも１つの任意のユーザグループ内のユーザを特定することを備える、請求項６の方法。
【請求項１０】
前記問合せルールを満足させるユーザデータは、動的に、前記管理領域内で管理されたユーザとなる。請求項９の方法。
【請求項１１】
前記管理領域から管理サブドメインを形成する工程をさらに備える、請求項６の方法。
【請求項１２】
前記管理サブドメインを形成する前記工程は、少なくとも１つの任意のユーザグループを特定する工程をさらに備える、請求項１１の方法。
【請求項１３】
前記管理サブドメインを管理するための管理特権を与える工程をさらに備える、請求項１１の方法。
【請求項１４】
前記管理サブドメインに対して与えられた管理特権を委託する工程をさらに備える、請求項１３の方法。
【請求項１５】
前記管理領域に対して与えられた管理特権を委託する工程をさらに備える、請求項６の方法。
【請求項１６】
ユーザコミュニティの委託管理を提供する方法であって、
少なくとも１つの任意のユーザグループにユーザコミュニティを特定する工程と、
前記少なくとも１つの任意のユーザグループから管理領域を形成する工程と、
管理者に前記管理領域に対する管理特権を与える工程と、
前記管理者から、与えられた前記管理領域の管理特権をその他の管理者に委託する工程を備える方法。
【請求項１７】
少なくとも１つの任意のユーザグループに前記ユーザコミュニティを特定する前記工程は、前記少なくとも１つの任意のユーザグループを形成するための評価基準として、前記ユーザコミュニティ内の各ユーザに関連する属性値を利用する工程を備える、請求項１６の方法。
【請求項１８】
少なくとも１つの任意のユーザグループに前記ユーザコミュニティを特定する前記工程は、前記少なくとも１つの任意のユーザグループを形成するための評価基準として、前記ユーザコミュニティ内の各ユーザに関連する属性値の組合せを利用する工程を備える、。請求項１７の方法。
【請求項１９】
少なくとも１つの任意のユーザグループに前記ユーザコミュニティを特定する前記工程は、前記少なくとも１つの任意のユーザグループ内のユーザを規定する問合せルールを構築する工程を備える、請求項１６の方法。
【請求項２０】
前記管理領域に対して与えられた管理特権をさらに別の管理者に委託する工程ををさらに備える、請求項１６の方法。
【請求項２１】
前記委託された管理特権に基づいて前記管理領域に関連する情報を管理する工程をさらに備え、前記情報を管理する工程は、前記少なくとも１つの任意のユーザグループ内のメンバーであるかどうかを動的にリアルタイムで判定することを備える、請求項１６の方法。
【請求項２２】
クライアントシステムを備えるユーザコミュニティの委託管理を提供する方法であって、
少なくとも１つの任意のユーザグループにユーザコミュニティを特定する工程と、
前記少なくとも１つの任意のユーザグループから管理領域を形成する工程と、
前記管理領域に対する管理特権を管理者に与える工程と、
前記管理領域から管理サブドメインを形成する工程と、
前記管理者から、前記管理サブドメインに対して与えられた管理特権をその他の管理者に委託する工程を備える方法。
【請求項２３】
少なくとも１つの任意のユーザグループに前記ユーザコミュニティを特定する前記工程は、前記ユーザコミュニティ内の各ユーザに関連する属性値を、前記少なくとも１つの任意のユーザグループを形成するための評価基準として利用する工程を備える、請求項２２の方法。
【請求項２４】
少なくとも１つの任意のユーザグループに前記ユーザコミュニティを特定する前記工程は、前記ユーザコミュニティ内の各ユーザに関連する属性値の組合せを、前記少なくとも１つの任意のユーザグループを形成するための評価基準として利用する工程を備える、請求項２２の方法。
【請求項２５】
管理者がユーザコミュニティ管理を制御することを可能にする方法であって、
ユーザコミュニティに関連するユーザ情報を管理者に提供する工程と、
少なくとも１つの任意のユーザグループに前記ユーザコミュニティを特定するように前記管理者を促す工程と、
前記少なくとも１つの任意のユーザグループから管理領域を形成するように前記管理者を促す工程と、
前記管理領域に対する管理特権を規定するように前記管理者を促す工程と、
前記管理者によって規定された管理領域と管理特権を利用して、前記ユーザコミュニティ管理を制御する工程を備える方法。
【請求項２６】
少なくとも１つの任意のユーザグループを特定するように前記管理者を促す前記工程は、前記ユーザコミュニティ内の各ユーザに関連する属性値を、前記少なくとも１つの任意のユーザグループを形成するための評価基準として利用するように前記管理者を促す工程を備える、請求項２５の方法。
【請求項２７】
少なくとも１つの任意のユーザグループを特定するように前記管理者を促す前記工程は、前記ユーザコミュニティ内の各ユーザに関連する属性値の組合せを、前記少なくとも１つの任意のユーザグループを形成するための評価基準として利用するように前記管理者を促す工程を備える、請求項２５の方法。
【請求項２８】
少なくとも１つの任意のユーザグループを特定するように前記管理者を促す前記工程は、前記少なくとも１つの任意のユーザグループを特定するための問合せルールを構築するように前記管理者を促す工程を備える。請求項２５の方法。
【請求項２９】
前記問合せルールを満足するユーザデータは、動的に、前記少なくとも１つのユーザグループ内で管理されたユーザとなる、請求項１，１９，２８のいずれかに記載の方法。
【請求項３０】
前記管理領域から管理サブドメインを形成するように前記管理者を促す工程ををさらに備える、請求項２５の方法。
【請求項３１】
前記管理サブドメインを管理するための管理特権をその他の管理者に与えるように前記管理者を促す工程をさらに備える、請求項３０の方法。
【請求項３２】
与えられた管理特権を委託するように前記サブドメインの前記管理者を促す工程をさらに備える、請求項３１の方法。
【請求項３３】
ユーザコミュニティに関連するユーザ情報を管理するユーザコミュニティ管理ツールであって、
少なくとも１つの任意のユーザグループに前記ユーザコミュニティを特定するユーザグループ特定コンポーネントと、
前記少なくとも１つの任意のユーザグループから管理領域を形成するドメイン形成コンポーネントと、
前記管理領域に対する管理特権を与える管理特権コンポーネントと、
与えられた管理特権に基づいて前記管理領域に関連する情報を管理する情報経営コンポーネントを備えるツール。
【請求項３４】
前記ドメイン形成コンポーネントは、前記管理領域から管理サブドメインを形成する、請求項３３のツール。
【請求項３５】
前記管理特権コンポーネントは、前記管理サブドメインに対する前記管理特権を与える、請求項３４のツール。
【請求項３６】
前記管理特権コンポーネントは、前記管理領域に対して与えられた管理特権を委託する、請求項３３のツール。
【請求項３７】
前記ユーザグループ特定コンポーネントは、前記ユーザコミュニティ内の各ユーザに関連する属性値を、前記少なくとも１つの任意のユーザグループを特定するための評価基準として利用する、請求項３３のツール。
【請求項３８】
前記ユーザグループ特定コンポーネントは、前記ユーザコミュニティ内の各ユーザに関連する属性値の組合せを、前記少なくとも１つの任意のユーザグループを特定するための評価基準として利用する、請求項３３のツール。
【請求項３９】
前記ユーザグループ特定コンポーネントは、問合せルールから前記少なくとも１つの任意のユーザグループを特定する、請求項３３のツール。
【請求項４０】
前記情報経営コンポーネントは、前記情報が前記少なくとも１つの任意のユーザグループのメンバーであるかどうかを動的にリアルタイムで確認する、請求項３３のツール。
【請求項４１】
ユーザコミュニティに関連するユーザ情報を管理するシステムであって、
複数のユーザ情報を含むデータベースディレクトリと、
前記データベースディレクトリ内の前記複数のユーザ情報を管理するユーザコミュニティ管理ツールであって、少なくとも１つの任意のユーザグループに前記ユーザコミュニティを特定するユーザグループ特定コンポーネントと、前記少なくとも１つの任意のユーザグループから管理領域を形成するドメイン形成コンポーネントと、前記管理領域に対する管理特権を与える管理特権コンポーネントと、与えられた管理特権に基づいて前記管理領域に関連する情報を管理する情報経営コンポーネントを備える、当該ユーザコミュニティ管理ツールと、
前記ユーザコミュニティ管理ツールと前記データベースディレクトリを提供するように構成された第１の計算部を備えるシステム。
【請求項４２】
ネットワークを介して前記第１の計算部から提供される前記ユーザコミュニティ管理ツールを実行するように構成される第２の計算部をさらに備える、請求項４１のシステム。
【請求項４３】
前記ユーザグループ特定コンポーネントは、前記ユーザコミュニティ内の各前記ユーザに関連する属性値を、前記少なくとも１つの任意のユーザグループを特定するための評価基準として利用する、請求項４１のシステム。
【請求項４４】
前記ユーザグループ特定コンポーネントは、前記ユーザコミュニティ内の各前記ユーザに関連する属性値の組合せを、前記少なくとも１つの任意のユーザグループを特定するための評価基準として利用する、請求項４１のシステム。
【請求項４５】
前記ユーザグループ特定コンポーネントは、前記データベースディレクトリについて問い合わせる問合せルールから前記少なくとも１つの任意のユーザグループを特定する、請求項４１のシステム。
【請求項４６】
前記問合せルールを特定するユーザデータは、動的に、前記少なくとも１つの任意のユーザグループ内で管理されるものになる、請求項４５のシステム。
【請求項４７】
ユーザコミュニティの委託管理を提供するユーザコミュニティ管理ツールであって、
少なくとも１つの任意のユーザグループに前記ユーザコミュニティを特定する手段と、
前記少なくとも１つの任意のユーザグループから管理領域を構成する手段と、
管理者に前記管理領域に対する管理特権を与える手段と、
前記管理領域に対して与えられた管理特権を前記管理者からその他の管理者に委託する手段を備えるツール。
【請求項４８】
前記特定する手段は、前記ユーザコミュニティ内の各ユーザに関連する属性値を、前記少なくとも１つの任意のユーザグループを特定するための評価基準として利用する、請求項４７のツール。
【請求項４９】
前記特定する手段は、前記ユーザコミュニティ内の各ユーザに関連する属性値の組合わせを、前記少なくとも１つの任意のユーザグループを特定するための評価基準として利用する、請求項４７のツール。
【請求項５０】
前記特定する手段は、問合せルールから前記少なくとも１つの任意のユーザグループを特定する、請求項４７のツール。
【請求項５１】
前記問合せルールを満足するユーザデータは、動的に、前記少なくとも１つの任意のユーザグループ内で管理されるものになる、請求項３９または５０のツール。
【請求項５２】
ユーザコミュニティの委託管理を提供するようにコンピュータシステムに命令するコンピュータインストラクションを記憶するコンピュータ−読取可能媒体であって、
前記コンピュータインストラクションは、
少なくとも１つの任意のユーザグループに前記ユーザコミュニティを特定する工程と、
前記少なくとも１つの任意のユーザグループから管理領域を形成する工程と、
管理者に前記管理領域に対する管理特権を与える工程と、
前記管理領域に対して与えられた管理特権を前記管理者からその他の管理者に委託する工程を備える、コンピュータ−読取可能媒体。
【請求項５３】
少なくとも１つの任意のユーザグループに前記ユーザコミュニティを特定する前記工程は、前記ユーザコミュニティ内の各ユーザに関連する属性値を、前記少なくとも１つの任意のユーザグループを形成するための評価基準として利用するためのインストラクションを備える、請求項５２のコンピュータ読取可能媒体。
【請求項５４】
少なくとも１つの任意のユーザグループに前記ユーザコミュニティを特定する前記工程は、前記ユーザコミュニティ内の各ユーザに関連する属性値の組合せを、前記少なくとも１つの任意のユーザグループを形成するための評価基準として利用するためのインストラクションを備える、請求項５２のコンピュータ読取可能媒体。
【請求項５５】
少なくとも１つの任意のユーザグループに前記ユーザコミュニティを特定する前記工程は、前記少なくとも１つの任意のユーザグループ内のユーザを規定するための問合せルールを構築するためのインストラクションを備える、請求項５２のコンピュータ読取可能媒体。
【請求項５６】
前記委託された管理特権に基づいて前記管理領域に関連する情報を管理するためのインストラクションをさらに備える、請求項５２のコンピュータ読取可能媒体。
【請求項５７】
前記管理領域に対して与えられた管理特権をさらに別の管理者に委託する工程をさらに備える、請求項５２のコンピュータ読取可能媒体。
【請求項５８】
管理者がユーザコミュニティ管理の制御を行うことを可能にするコンピュータシステムに命令するコンピュータインストラクションを記憶するコンピュータ−読取可能媒体であって、
前記コンピュータインストラクションは、
前記ユーザコミュニティに関連するユーザ情報を前記管理者に提供する工程と、
少なくとも１つの任意のユーザグループに前記ユーザコミュニティを特定するように前記管理者を促す工程と、
前記少なくとも１つの任意のユーザグループから管理領域を形成するように前記管理者を促す工程と、
前記管理領域に対する管理特権を規定するように前記管理者を促す工程と、
前記管理者によって規定される前記管理領域と管理特権を利用して、前記ユーザコミュニティの管理を制御する工程を備える、コンピュータ−読取可能媒体。
【請求項５９】
前記少なくとも１つの任意のユーザグループを特定するように前記管理者を促す前記工程は、前記ユーザコミュニティ内の各ユーザに関連する属性値を、前記少なくとも１つの任意のユーザグループを形成するための評価基準として利用するように前記管理者を促すインストラクションを備える、請求項５８のコンピュータ読取可能媒体。
【請求項６０】
前記少なくとも１つの任意のユーザグループを特定するように前記管理者を促す前記工程は、前記ユーザコミュニティ内の各ユーザに関連する属性値の組合せを、前記少なくとも１つの任意のユーザグループを形成するための評価基準として利用するように前記管理者を促すインストラクションを備える、請求項５８のコンピュータ読取可能媒体。
【請求項６１】
前記少なくとも１つの任意のユーザグループを特定するように前記管理者を促す前記工程は、前記少なくとも１つの任意のユーザグループを特定するための問合せルールを構築するように前記管理者を促すインストラクションを備える、請求項５８のコンピュータ読取可能媒体。
【請求項６２】
前記問合せルールを満足するユーザデータは、動的に、前記少なくとも１つのユーザグループ内で管理されたユーザになる、請求項５５または６１のコンピュータ読取可能媒体。
【請求項６３】
前記管理領域から管理サブドメインを形成するように前記管理者を促すインストラクションをさらに備える、請求項５８のコンピュータ読取可能媒体。
【請求項６４】
前記管理サブドメインを管理するための管理特権をその他の管理者に委託するように前記管理者を促すインストラクションをさらに備える、請求項６３のコンピュータ読取可能媒体。
【請求項６５】
与えられた管理特権を委託するように前記サブドメインの管理者を促すインストラクションをさらに備える、請求項６４のコンピュータ読取可能媒体。